(57)【特許請求の範囲】
【請求項１】
ディスク状記録媒体およびケースにディスクを格納したケース状記録媒体の双方を筐体に格納可能なトレイを備えた記録媒体駆動装置であって、
前記トレイは、
前記ケース状記録媒体を載置するケース載置面と、
このケース載置面に凹状に設けられて、前記ディスク状記録媒体が載置されるディスク載置凹部と、
前記ケース載置面に移動可能に配設され、前記ケース状記録媒体を付勢してケース状記録媒体を位置決めする付勢部と、
前記付勢部および前記ディスク載置凹部の外周縁に設けられたテーパ部と、
を備え、
前記テーパ部は、前記ディスク載置凹部の外周縁と連続する弧状形状とされ、前記ディスク載置凹部の底面から、前記底面に対して９０度未満の所定角度で傾斜する第１のテーパ部と、前記底面に対して前記第１のテーパ部よりも大きい傾斜角度で、かつ前記底面に対して９０度未満の角度で傾斜するとともに、前記第１のテーパ部の外周縁から径外方向に向かって傾斜する第２のテーパ部と、を具備する
ことを特徴とした記録媒体駆動装置。
【請求項２】
請求項１に記載の記録媒体駆動装置であって、
前記ケース載置面および前記ディスク載置凹部の略中心位置に、前記ディスク状記録媒体および前記ケース状記録媒体の情報を処理する情報処理部の移動を許容する作業窓部が設けられ、
前記テーパ部は、前記作業窓部の近傍に設けられた
ことを特徴とした記録媒体駆動装置。
【請求項３】
請求項１または請求項２に記載の記録媒体駆動装置であって、
前記テーパ部は、前記ディスク載置凹部の外周縁から所定の寸法だけ径内側の位置から、この外周縁に向かって放射状に傾斜する
ことを特徴とした記録媒体駆動装置。
【請求項４】
請求項３に記載の記録媒体駆動装置であって、
前記ディスク載置凹部の外周縁に沿って、前記付勢部が配設されない他端側に傾
斜する他端側テーパ部が設けられた
ことを特徴とした記録媒体駆動装置。
【請求項５】
請求項４に記載の記録媒体駆動装置であって、
前記他端側テーパ部には、前記ケース載置面に向かって立ち上がる立上面が形成された
ことを特徴とした記録媒体駆動装置。
【発明の詳細な説明】
【技術分野】
【０００１】
本発明は、ディスク状記録媒体およびケースにディスクを格納したケース状記録媒体の双方を筐体に格納可能なトレイを備えた記録媒体駆動装置に関する。
【背景技術】
【０００２】
従来、ベアディスクタイプのＣＤ（Compact Disc）やベアディスクタイプのＤＶＤ（Digital Versatile Disc)などのようなディスク状の記録媒体と、このようなディスク状の記録媒体をカートリッジなどのケースに格納するケース状の記録媒体と、の双方に対応した記録媒体駆動装置がある（例えば、特許文献１参照）。
【０００３】
特許文献１に記載の記録媒体駆動装置は、ケース状の記録媒体を載置面に載置するカートリッジ装着部と、ディスクを載置するディスク載置部と、載置されたケース状の記録媒体を付勢して位置決めするディスク保持部と、を備えている。ディスク載置部は、カートリッジ装着部の平板状のケース状の載置面から１段下がって形成される略円形の凹部により形成されている。また、トレイには、ディスク状の記録媒体を保持するディスク係合部が設けられている。そして、記録媒体駆動装置を垂直姿勢にした際にディスク状の記録媒体が位置ずれしないように、ディスク状の記録媒体がディスク係合部と載置面との間に挟まれるように配置する。
【０００４】
【特許文献１】
特許第２８８２３２１号公報（図１および図２参照)
【発明の開示】
【発明が解決しようとする課題】
【０００５】
ところで、特許文献１に記載の装置では、ディスク状の記録媒体をディスク載置部に載置するとき、ディスク状記録媒体を載置面に垂直に移動させて載置しようとするとディスク係合部に引っ掛かり、載置することが困難である。したがって、ディスク状の記録媒体の一端側から差し込み、このディスク状の記録媒体の一端側でケース状記録媒体を一端側から他端側に付勢してケース状記録媒体を位置決めする為のスライダを押し込んで移動させ、ディスク係合部を避けてディスクを載置する必要がある。また、ディスク係合部がない構成であっても、ディスク状記録媒体を傾斜させて、一端側から差し込み、スライダを押して移動させた後、スライダの付勢力でディスク状記録媒体を押し戻して円状の凹部に載置する場合がある。
［０００６］
しかしながら、上記のような場合、ディスク状の記録媒体を一端側から差し込んだ際に、ディスク状の記録媒体の端面がディスク載置部のエッジに当接して引っ掛かってしまう。したがって、一旦ディスク状の記録媒体をトレイの載置面から浮かせた状態に戻し、スライダを押し込む必要があり、煩雑である。
［０００７］
本発明は、このような実情に鑑みて、記録媒体をスムーズに載置可能な記録媒体駆動装置を提供することを１つの目的とする。
【課題を解決するための手段】
【０００８】
本発明は、ディスク状記録媒体およびケースにディスクを格納したケース状記録媒体の双方を筐体に格納可能なトレイを備えた記録媒体駆動装置であって、前記トレイは、前記ケース状記録媒体を載置するケース載置面と、このケース載置面に凹状に設けられて、前記ディスク状記録媒体が載置されるディスク載置凹部と、前記ケース載置面に移動可能に配設され、前記ケース状記録媒体を付勢してケース状記録媒体を位置決めする付勢部と、前記付勢部および前記ディスク載置凹部の外周縁に設けられたテーパ部と、を備え、前記テーパ部は、前記ディスク載置凹部の外周縁と連続する弧状形状とされ、前記ディスク載置凹部の底面から、前記底面に対して９０度未満の所定角度で傾斜する第１のテーパ部と、前記底面に対して前記第１のテーパ部よりも大きい傾斜角度で、かつ前記底面に対して９０度未満の角度で傾斜するとともに、前記第１のテーパ部の外周縁から径外方向に向かって傾斜する第２のテーパ部と、を具備することを特徴とした記録媒体駆動装置である。
【図面の簡単な説明】
［０００９］
［図１］本発明の実施形態の記録媒体駆動装置としてのディスク装置の全体斜視図である。
［図２］ディスク装置の分解斜視図である。
［図３］ディスク装置を構成するフレームおよびベース部材の斜視図である。
［図４］ディスク装置を構成するトレイの斜視図である。
［図５］トレイの断面図である。
［図６］ディスクをトレイに載置する過程のトレイの断面図である。
【図７】ディスクをトレイに載置する過程の別のトレイの断面図である。
【図８】本実施の形態の変形例であるトレイの背面側を示す斜視図である。
【図９】本実施の形態の変形例であるトレイに、ディスクを載置する過程を示す断面図である。
【図１０】本実施の形態の変形例であるトレイに、ディスクを載置する過程を示す別の断面図である。
【図１１】本実施の形態の変形例であるトレイに、ディスクを載置する過程を示すさらに別の断面図である。
【符号の説明】
【００１０】
１０ ……筐体としてのフレーム
３０……トレイ
３１……ケース載置面としての載置面
３２……ディスク載置凹部としての円状凹部
３３……付勢部としてのスライダ
３５……爪部としてのディスクホルダ
３６……作業窓部
３２ａ……底面
１００……記録媒体駆動装置としてのディスク装置
３２２……第１のテーパ部
３２３……第２のテーパ部
３２１Ａ……テーパ部、および他端側テーパ部
３２４……立上面
３３２Ａ……テーパ部
【発明を実施するための最良の形態】
【００１１】
以下、本発明の実施の形態を図示例と共に説明する。
〔記録媒体駆動装置の構成〕
図１ないし図５は本発明の実施形態を示す記録媒体駆動装置である。
【００１２】
図１、図２において、１００は、ディスク状記録媒体およびケース状記録媒体のディスクの記録面に記録された情報を少なくとも再生あるいは情報を記録する記録媒体駆動装置としてのディスク装置である。このディスク装置１００は、筐体としてのフレーム１０と、ベース部材２０と、トレイ３０と、クランプ機構４０と、図示しないケーシングと、などを備えて構成されている。このディスク装置１００は、記録媒体を載置する姿勢により、記録媒体が水平に沿って載置される水平置きと、記録媒体が鉛直方向に沿って載置される縦置きとの双方で設置可能とされる。
【００１３】
また、このディスク装置１００に用いられる記録媒体としては、例えばベアディスクタイプのＣＤやベアディスクタイプのＤＶＤなどのようなディスク９０をそのまま用いるディスク状記録媒体と、このようなディスク９０を図示しないカートリッジなどのケースに収納して用いるケース状記録媒体と、がある。ディスク９０は中心に図示しない円状の孔部を有する円盤状に形成されていて、円盤表面に情報を記録する記録面が形成されている。
【００１４】
フレーム１０は、例えばアクリロニトリル−ブタジエン−スチレン（ＡＢＳ；Acrylonitrile-Butadiene-Styrene）などの合成樹脂で形成されている。このフレーム１０は、平面長方形の平板状の底部１１と、この底部１１の短辺側周縁部の一方に一体形成された背面部１２と、底部１１の周縁部の短辺側の他方に底部１１から立ち上がって一体形成される前面部１４と、底部１１の周縁部の両長辺側に一体形成され背面部１２と略同じ高さ寸法となる２つの側面部１５とを備え、これらの側面部１５及び背面部１２とで囲まれ底部１１と対向する上面開口部１３が形成されている。
【００１５】
ここで、このディスク装置１００において、ディスク装置１００の水平置き、縦置きの状態によらず、上面開口部１３側を上面側、それに対する底部１１側を下面側、背面部１２側を背面側、前面部１４側を前面側と定義する。また、前面側から背面側に向かう方向を前進方向とし、その反対を後退方向とし、上面から下面に向かう方向を上下方向とし、前面−背面方向と上下方向とに直交する側面への方向を側面方向とする。
【００１６】
底部１１は、その周縁部に側面部１５、前面部１４、及び背面部１２が形成され、かつ、その内側には大きく空洞孔部が設けられている。底部１１の空洞孔部は図示しない電気回路が収納されるスペースであり、この電気回路によってディスク装置１００の動作が制御されている。
【００１７】
背面部１２は、下面側に図示しない外部端子部があり、この外部端子部はフレーム内で底部１１に設けられている電気回路と電気的に接続されている。この外部端子部は、記録媒体駆動装置へ電力の供給を行うための電源ケーブル接続部や、パソコン等の外部機器との接続を可能にして外部と通信するための外部端子接続部等を備えている。
【００１８】
上面開口部１３は、記録媒体を保持するための機構の一つであるクランプ機構４０が取り付けられている。
【００１９】
前面部１４は、背面部１２及び側面部１５よりも上下方向への寸法が小さく形成されていて、この前面部の上面側にトレイ３０が出し入れされる前面部１４１が設けられている。また、前面部１４には図示しない操作部が設けられている。この操作部には、トレイ３０の出し入れを行うためのイジェクトボタンや、記録媒体駆動装置の動作状態を表示するLEDレンズ、音量を調整するためのボリュームつまみ、イヤホンの挿入口などが取り付けられている。
【００２０】
側面部１５の内壁には、トレイ３０を摺動自在に支持する摺動片１５０が前面−背面方向に亘って設けられている。また、側面部１５の背面側にはベース部材２０が回動可能に取り付けられている。
【００２１】
ベース部材２０は、金属製の板材をプレス成型などすることで形成されている。このベース部材２０は、背面側に側面部１５に対向して設けられる回動軸２２と、前面側に側面部１５に対向して設けられる支持軸２１と、前面側に突出するカム係合ピン２４と、ターンテーブル２３と、検出基板取付部２１１と、図示しない情報処理部と、などを備えている。
【００２２】
ベース部材２０は、回動軸２２をフレーム１０の側面部１５に回動支持部材１５２を介して前面側が上下移動可能となるように回動自在に取り付けられている。また、この時、側面部１５に設けられた支持溝１５１に支持軸２１を係合させ、ベース部材２０が回動軸２２を軸として回動する際に、ベース部材の前面側が所定の軌道で上下移動するように支持している。
【００２３】
カム係合ピン２４は、後述する連動機構５００に連結され、トレイ３０とベース部材２０との動作を制御する。
【００２４】
ターンテーブル２３は、ベース部材２０の前面側に設けられ、ベース部材２０の回動により、トレイ３０に対して進退運動する。ターンテーブル２３は、下面側には図示しない回転駆動機構が設けられている。そして、この回転駆動機構により、ターンテーブル２３は、上下方向を回転軸として高速回転する。
【００２５】
また、ターンテーブル２３は、記録媒体を載置する載置部２３２と、載置部２３２の中心に設けられて上面側が径小となるテーパ状のテーブルテーパ部２３１とを備えている。このテーブルテーパ部２３１がディスク９０の円状孔部に係合される。また、図３に示すように、テーブルテーパ部２３１の上面側には磁石２３１Ａが嵌め込まれていて、載置部２３２の上面側には記録媒体の面を保護するとともに滑り止めとなる合成樹脂製のシート部材２３２Ａが接着されている。
【００２６】
情報処理部は、ターンテーブル２３より背面側に設けられるピックアップ用孔部２６が設けられていて、このピックアップ用孔部２６に情報処理部が設けられている。この情報処理部は、図示しないピックアップと、レーザ照射部と、レーザ読取部と、などを備えている。そして、レーザ照射部から照射したレーザ光をピックアップからディスク９０の記録面に照射し、反射されたレーザ光をレーザ読取部で読み取る。これにより、ディスク９０の記録面に記録された情報を再生したり、情報を記録したりする。また、情報処理部は、ベース部材２０のピックアップ用孔部２６の前面−背面方向に沿って進退可能となっている。
【００２７】
検出基板取付部２１１には、検出基板６０が取り付けられている。検出基板６０は、検出スイッチ６１が上面側に向かって立設されていて、この検出スイッチ６１はベース部材２０の下面側に伸びる図示しない配線を介して、前記電気回路に接続されている。そして、検出スイッチ６１は、トレイ３０にケース状記録媒体が載置された際に、このケース状記録媒体に形成される図示しない検出孔部を検出して、ケース状記録媒体に関する情報を取得する。このケース状記録媒体に関する情報としては、例えばディスク９０への書き込みを許可するか否かの情報やディスク９０の種類を判別する情報などがある。
【００２８】
トレイ３０は、例えばＡＢＳ樹脂などの合成樹脂にて形成されている。このトレイ３０は、平面略矩形状に形成されているケース載置面としての載置面３１と、載置面３１に形成されるディスク載置凹部としての円状凹部３２と、トレイ３０の背面側に設けられる付勢部としてのスライダ３３と、トレイ３０の前面側に設けられる立上部３４と、立上部３４に取り付けられる爪部としてのディスクホルダ３５と、などを備えている。
【００２９】
載置面３１は、ケース状記録媒体のカートリッジが載置される面である。載置面３１には、作業窓部３６と、カートリッジ位置決め突起３７と、検出孔３８と、などが形成されている。作業窓部３６は、載置面３１の略中心に形成され、ターンテーブル２３のトレイ３０に対する進退、および情報処理部からのレーザ光の照射が実施される。カートリッジ位置決め突起３７は、トレイ３０にカートリッジが載置された際に、カートリッジに設けられた図示しない位置決め孔部に挿通されてカートリッジを位置決めする。検出孔３８は、前述した検出スイッチ６１が挿通される孔部である。この検出孔３８から検出スイッチが進退し、カートリッジに設けられる図示しない検出孔部を検出する。
【００３０】
円状凹部３２は、載置面３１に形成される略円状の凹部である。円状凹部３２の径寸法は、ディスク９０の径寸法より僅かに大きく形成され、ディスク９０がこの円状凹部３２に載置可能となっている。また、円状凹部３２の深さ寸法、すなわち載置面３１との高さ寸法の差は、ディスク９０の厚み寸法よりも小さく形成されていて、ディスク９０を円状凹部３２に載置すると、ディスク９０の上面側が載置面３１より突出する。
【００３１】
また、円状凹部３２の周部には、この円状凹部３２の内側から外周縁３２１に向かって傾斜するテーパ部３２１Ａが形成されている。このテーパ部３２１Ａは、図５に示すように、第１のテーパ部３２２と、第２のテーパ部３２３とにより形成されている。第１のテーパ部３２２は、円状凹部３２の底面３２ａから小さい傾斜角度、例えば３０度の角度で傾斜して形成されている。第２のテーパ部３２３は、第１のテーパ部３２２から大きい傾斜角度、例えば円状凹部３２の底面３２ａに対して６０度の角度で形成されている。そして、ディスク状記録媒体のディスク９０を円状凹部３２に載置する際に、ディスク９０の端縁部が第１のテーパ部３２２に当接されて保持される。また、第２のテーパ部３２３は、載置面に平行な力が加わったときに、ディスク状記録媒体のディスク９０が第２のテーパ部３２３を滑って移動しないように角度を設けている。
【００３２】
さらに、円状凹部３２の前面側では、第１のテーパ部３２２の面から略垂直に立ち上がる立上面３２４が形成されている。なお、立上面３２４は、第２のテーパ部３２３が前面側に向かうにつれて傾斜角度が大きくなり第１のテーパ部３２２から立ち上がって形成するものであってもよい。この立上面３２４は、ディスク状記録媒体のディスク９０が前面側に移動しようとしたときに当接し、ディスク９０の位置ずれを防止する。
【００３３】
スライダ３３は、トレイ３０の背面側に前後移動可能に配置され、図示しない弾性付勢手段により前面側に付勢されている。この時、載置面３１上には図示しない規制突起が設けられていて、スライダ３３はこの規制突起より前面側に移動しない。また、スライダ３３の前面側は、円状凹部３２の円形状に対応した弧状の切欠き部３３Ａが形成されている。さらに、この切欠き部３３Ａの上面側には円状凹部３２の径内方向に突出する突起片３３１が形成されている。
【００３４】
このスライダ３３は、トレイ３０の載置面３１にケース状記録媒体が載置された際に、このケース状記録媒体のカートリッジを前面側に付勢して位置決めする。また、円状凹部３２にディスク状記録媒体のディスク９０が載置された際には、突起片３３１によりディスク９０の上面側への飛び出しを防止する。さらに、ディスク９０を円状凹部３２に載置する際に、スライダ３３を背面側に移動させることで、ディスク９０が後述するディスクホルダ３５を避けて容易に載置可能となる。
【００３５】
立上部３４は、載置面３１の前面側から立ち上がって形成される。また、この立上部３４の両端には、ディスクホルダ３５が回動自在に取り付けられている。
【００３６】
ディスクホルダ３５は、基端部が図示しない軸部材により立上部３４に回動自在に取り付けられている。ディスクホルダ３５の先端部には、ホルダー本体３５０と一体形成され、載置面３１と対向する突出片３５１が設けられている。突出片３５１は、ディスク９０が載置される円状凹部３２の外周縁３２１より円の径内側に突出して形成されている。このディスクホルダ３５は、円状凹部３２にディスク状記録媒体のディスク９０を載置した際に、突出片３５１によりディスク９０が上面側に飛び出すのを防止する。またディスクホルダ３５の先端部で、ディスク９０が前面側にずれないように位置決めする。一方、載置面３１にケース状記録媒体を載置する場合には、ディスクホルダ３５は立上部３４側に回動させて待避させる。
【００３７】
図１ないし図３に戻って、フレーム１０の上面開口部１３には前述したようにクランプ機構４０が取り付けられている。このクランプ機構４０は、ターンテーブル２３に係合されたディスク９０がターンテーブル２３から外れないように保持する機構を有している。
【００３８】
クランプ機構４０のターンテーブル２３と対向する位置には、クランパ４１が設けられている。このクランパ４１は合成樹脂で形成されていて中心部の上面側に図示しない円盤状金属部材が嵌めこまれている。また、クランパ４１はクランパホルダー４２に支持されて、クランパホルダー４２には板ばね４３が設けられている。そして、板ばね４３は、クランパホルダー４２が下面側に下がったときに上面側に付勢するように働いている。
【００３９】
次に、ベース部材２０とフレーム１０との連結について説明する。フレーム１０の前面側には連動機構５００が設けられている。この連動機構５００はベース部材２０と係合するドライブカム５０と、ドライブカム５０に一体形成されている第一ラック５２と、この第一ラック５２に噛合し第一歯車５３１から第四歯車５３４を有する歯車機構５３と、この歯車機構５３に噛合し前記電気回路からの制御によって駆動されるモータ部５４と、トレイ３０の下面側に設けられ歯車機構５３に噛合する図示しない第二ラックとを備えている。
【００４０】
ドライブカム５０は、合成樹脂等で形成され、トレイ３０の進退方向と直交する側面方向に往復自在に配置されている。ドライブカム５０の背面側には側面方向に延びるカム溝５１が形成されていて、ベース部材２０のカム係合ピン２４はこのカム溝５１に係合されている。カム溝５１は、一端が上面側、他端が下面側に配置されるように、傾斜状に形成されている。このドライブカム５０が側面方向に往復運動することでカム係合ピン２４はこの傾斜部を伝ってカム溝５１の両端間を移動し、これによってベース部材２０は上下方向に往復運動可能となっている。
【００４１】
このドライブカム５０の一側面に形成されている第一ラック５２は歯車機構５３の第三歯車５３３に噛合している。この第三歯車５３３の下面側には第三歯車５３３より径大となる第二歯車５３２が一体形成されていて、この第二歯車５３２は第一歯車５３１、及び第４歯車５３４に噛合している。
【００４２】
第一歯車５３１はモータ部５４のモータ歯車５４２に噛合している。モータ歯車５４２は、ホイール５４１と合成樹脂製のリング状のベルト５４３によって連結されている。ホイール５４１の下面側ではフレーム１０を介して図示しないモータ本体が設けられていて、このモータ本体から直接駆動力を与えられている。モータ本体は前記電気回路と電気的に接続されており、電気回路によってモータ本体の回転が制御されている。
【００４３】
第四歯車５３４はトレイ３０の下面側に設けられている図示しない第二ラックと噛み合っている。
【００４４】
そして、前面部１４のさらに前面側に設けられる図示しないイジェクトボタンや、外部からの入力等によって、トレイ進退命令が前記電子回路に伝えられると、電子回路はモータ本体を駆動させる。モータ本体が回転すると、回転がホイール５４１、モータ歯車５４２を介して歯車機構５３の第一歯車５３１に伝達される。そして、第一歯車５３１から第二歯車５３２に回転動力が伝達され、この第二歯車を一体的に設けられる第三歯車５３３及び第二歯車５３２と噛合する第四歯車５３４が回転する。第三歯車５３３の回転によって、この第三歯車５３３と第一ラック５２で噛合するドライブカム５０が側面方向に運動し、ドライブカム５０と係合するベース部材２０が上面側、あるいは下面側に移動する。また、第四歯車５３４の回転によって、第四歯車５３４と第二ラックで噛合するトレイ３０が背面側、あるいは前面側に移動する。また、トレイ３０が排出される時には、先ずターンテーブル２３が待機位置に移動した後に、トレイ３０は排出される。
【００４５】
［記録媒体の載置］
次に、ディスク状記録媒体のトレイ３０への載置について説明する。図６は、ディスクをトレイに載置する過程のトレイの断面図である。図７は、ディスクをトレイに載置する過程の別のトレイの断面図である。
【００４６】
ディスク状記録媒体のディスク９０をトレイ３０に載置する際に、トレイ３０の円状凹部３２に対して略垂直に載置しようとすると、ディスク９０の外周縁がディスクホルダ３５の突出片３５１およびスライダ３３の突起片３３１に引っ掛かるため、トレイ３０に載置できない。したがって、ディスク９０を円状凹部３２に載置するためには、これらの突起片３３１および突出片３５１を回避してディスク９０を載置する必要がある。
【００４７】
これには、まず、図６に示すように、トレイ３０の円状凹部３２に対してディスク９０を傾斜させた状態で、ディスク９０の一端縁がスライダ３３の突起片３３１の下面側に位置するように差し込む。そして、ディスク９０の一端縁が第１のテーパ部３２２および第２のテーパ部３２３に到達すると、この第１のテーパ部３２２、および第２のテーパ部３２３の斜面上を滑り、引っ掛かることなくスライダ３３の切欠き部３３Ａに当接する。
【００４８】
ディスク９０の一端縁がスライダ３３の切欠き部３３Ａに到達して当接すると、さらに、ディスク９０を押し込むことにより、図７に示すように、スライダ３３が背面側に移動する。そして、このスライダ３３の移動により、ディスク９０の前面側の他端縁が、突出片３５１の少なくとも先端部より背面側に移動する。この時、ディスク９０を円状凹部３２上に移動させることで、突出片３５１、および突起片３３１を回避可能となる。この後、図示しない弾性付勢手段によりスライダ３３は前面側に付勢され、ディスク９０は、スライダ３３が押し込まれた分だけ前面側に押し返される。このようにして図５に示すような位置にディスク９０を載置させることが可能となる。
【００４９】
〔本実施形態の記録媒体駆動装置の効果〕
上述したようなディスク装置１００では、トレイ３０は、ディスク状記録媒体のディスク９０を載置する円状凹部３２と、円状凹部３２に載置したディスク９０の位置ずれを防止する突起片３３１および突出片３５１と、円状凹部３２の背面側にテーパ部３２１Ａと、を有している。そして、円状凹部３２には、底面から傾斜する第１のテーパ部３２２と、第１のテーパ部３２２から傾斜して第１のテーパ部よりも傾斜角度が大きい第２のテーパ部３２３が形成されている。
【００５０】
このため、ディスク９０の一端縁を第１および第２のテーパ部３２２，３２３の斜面上を滑らせてスライダ３３まで移動させ、さらにディスク９０でスライダ３３を押し込むことで、突起片３３１、および突出片３５１を回避してディスク９０を円状凹部３２に載置できる。このような構成により、従来のように円状凹部の背面側から立ち上がる立上面がないので、ディスクの一端縁を押し込んだときに立上面に引っ掛かることがなく、ディスク９０をスムーズにテーパ部３２１Ａを滑らせてスライダ３３まで移動させることができる。したがって、ディスク９０をスムーズにトレイ３０の円状凹部３２に載置することができる。さらに、スライダ３３によりディスク９０が押し返されたとき、ディスク９０の外周縁は、傾斜角度の大きい第２のテーパ部３２３には止まらず、傾斜角度の小さい第１のテーパ部３２２に止まる。したがって、ディスク９０の外周縁は、常に第１のテーパ部３２２に載置されることになり、載置位置のばらつきを防止できる。
【００５１】
また、第１のテーパ部３２２は、円状凹部３２の外周縁３２１に沿って、径内側から外周縁３２１に向かって放射状に傾斜して形成されている。このため、テーパ部３２１Ａが略円形に形成されるので、ディスク９０を載置した際にバランスがよく、ディスク９０の位置ずれを防止できる。さらに、ディスク９０は、第１のテーパ部３２２にディスク９０の外周縁を支持されて載置され、ディスク９０の記録面は円状凹部３２に当接しない。このため、ディスク９０の記録面の損傷を防止できる。
【００５２】
さらに、円状凹部３２の第１のテーパ部３２２は前面側にも形成されているので、背面側に形成された第１のテーパ部３２２にディスク９０を安定して載置することができる。
【００５３】
また、円状凹部３２の前面側に形成された第１のテーパ部３２２には、立上面３２４が形成されている。このため、ディスク９０は、この立上面３２４により前面側の位置決めができる。すなわち、スライダ３３によりディスク９０が押し戻された際に、ディスク９０は立上面３２４に当接して、それ以上前面側に移動することを規制される。したがって、ディスク９０の載置位置のずれや、載置位置のばらつきを防止できる。
【００５４】
〔実施の形態の変形〕
尚、本発明の記録媒体駆動装置は、上述の実施例にのみ限定されるものではなく、本発明の要旨を逸脱しない範囲内において種々変更を加え得ることは勿論である。
【００５５】
例えば、前記実施の形態では、円状凹部３２の外周縁３２１に沿って、円の内側から放射状に形成される第１のテーパ部３２２および第２のテーパ部３２３が形成される例を示したが、これに限らない。例えば、テーパ部は、円状凹部の背面側の外周縁に沿って、背面側のみに傾斜して形成されていてもよい。この場合でも前記本実施の形態と同様に、ディスクの一端縁をテーパ部の斜面上を滑らせてスライダまで移動させることができ、引っ掛かることなくスムーズにディスクを円状凹部に載置することができる。
【００５６】
また、円状凹部の作業窓部の近傍にのみテーパ部が形成されている構成としてもよい。ディスクは円盤状に形成されているため、ディスクを差し込む際、ディスクの一端縁は、作業窓部近傍に当接する。したがって作業窓部の近傍にテーパ部が形成されていれば、ディスクの一端縁はこのテーパ部を滑ってスライダに当接することができる。
【００５７】
さらに、前記実施の形態では、円状凹部３２の外周縁３２１に沿って円状凹部３２にテーパ部３２１Ａを形成したが、例えば、図８に示すように、スライダにテーパ部を形成する構成としてもよい。図８に示した例では、スライダ３３の下面側にテーパ部材３３２を例えば接着剤などやビス止めなどにより取り付けている。テーパ部材３３２は、円状凹部３２の外周縁と連続する弧状形状のテーパ部３３２Ａを有し、作業窓部３６に沿って前後移動できるように形成されている。なお、テーパ部材３３２は、スライダ３３に取り付けられる構成を示したが、スライダ３３と一体形成されていてもよい。テーパ部材３３２とスライダ３３とを一体形成することで、生産性の向上が図れる。
【００５８】
このような構成において、ディスク９０を円状凹部３２に載置するためには、まず、図９に示すように、トレイ３０の円状凹部３２に対して、ディスク９０を斜めにして、スライダ３３の突起片３３１とテーパ部材３３２との間にディスク９０の一端縁を差し込む。そして、そのままディスク９０を差し込むと、ディスク９０の一端縁がテーパ部材３３２のテーパ部３３２Ａを滑り、ディスク９０は引っ掛かることなくスライダ３３に当たる。
【００５９】
そして、ディスク９０の一端縁がスライダ３３に到達して当接すると、さらに、ディスク９０を押し込む。これにより、図１０に示すように、スライダ３３は背面側に移動する。そして、このスライダ３３の移動により、ディスク９０の前面側の他端縁が突出片３５１の少なくとも先端部より背面側に押し込まれる。この時、ディスク９０を円状凹部３２上に移動させることで、突出片３５１を回避することができる。この後、弾性付勢部材３３４によりスライダ３３は前面側に付勢され、ディスク９０は、スライダ３３が押し込まれた分だけ前面側に押し返されて移動する。このようにして図１１に示すような位置にディスク９０を載置させることが可能となる。
【００６１】
さらに、テーパ部３２１Ａは、トレイ３０と一体形成されている例を示したが、円状凹部３２の外周縁にテーパ部材を取り付ける構成としてもよい。このように、テーパ部材のみを独立させて後付け可能とすることで、このようなテーパ部材を従来のトレイにも装着することができて、ディスクを滑らかに載置することができる。
【００６２】
その他、本発明の実施の際の具体的な構造および手順は、本発明の目的を達成できる範囲で他の構造などに適宜変更できる。
【００６３】
［実施形態の作用効果］
トレイ３０は、ディスク状記録媒体のディスク９０を載置する円状凹部３２と、円状凹部３２に載置したディスク９０の位置ずれを防止する突起片３３１および突出片３５１と、円状凹部３２の背面側にテーパ部３２１Ａと、を有している。そして、円状凹部３２には、底面から傾斜する第１のテーパ部３２２と、第１のテーパ部３２２から傾斜して第１のテーパ部よりも傾斜角度が大きい第２のテーパ部３２３が形成されている。
【００６４】
このため、ディスク９０の一端縁を第１および第２のテーパ部３２２，３２３の斜面上を滑らせてスライダ３３まで移動させ、さらにディスク９０でスライダ３３を押し込むことで、突起片３３１、および突出片３５１を回避してディスク９０を円状凹部３２に載置できる。このような構成により、従来のように円状凹部の背面側から立ち上がる立上面がないので、ディスクの一端縁を押し込んだときに立上面に引っ掛かることがなく、ディスク９０をスムーズにテーパ部３２１Ａを滑らせてスライダ３３まで移動させることができる。したがって、ディスク９０をスムーズにトレイ３０の円状凹部３２に載置することができる。
【００６５】
さらに、スライダ３３によりディスク９０が押し返されたとき、ディスク９０の外周縁は、傾斜角度の大きい第２のテーパ部３２３には止まらず、傾斜角度の小さい第１のテーパ部３２２に止まる。したがって、ディスク９０の外周縁は、常に第１のテーパ部３２２に載置されることになり、載置位置のばらつきを防止できる。
【産業上の利用可能性】
【００６６】
本発明は、ディスク状記録媒体およびケースにディスクを格納したケース状記録媒体の双方を筐体に格納可能なトレイを備えた記録媒体駆動装置として利用できる。
【図１】
0004357532.tif 000002
【図２】
0004357532.tif 000003
【図３】
0004357532.tif 000004
【図４】
0004357532.tif 000005
【図５】
0004357532.tif 000006
【図６】
0004357532.tif 000007
【図７】
0004357532.tif 000008
【図８】
0004357532.tif 000009
【図９】
0004357532.tif 000010
【図１０】
0004357532.tif 000011
【図１１】
0004357532.tif 000012